【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
少なくとも１つの照明デバイスを駆動するための照明ドライバであり、
電気絶縁バリアの第１の側に配置される制御ユニットと、
前記少なくとも１つの照明デバイスに電力を供給するための変圧器であって、前記電気絶縁バリアの第２の側に電力を供給するための補助巻線を含み、前記補助巻線が、前記少なくとも１つの照明デバイスの電力供給から切り離されている変圧器と、
前記制御ユニットから電気的に絶縁されるように前記電気絶縁バリアの前記第２の側に配置される電源ユニットとを有する照明ドライバであって、前記制御ユニットが、前記電気絶縁バリアを越えて前記電源ユニットに単一のイネーブル信号を供給し、前記電源ユニットが、前記照明ドライバとデータを通信する外部デバイスに電力を供給するための２つの出力電圧を、前記単一のイネーブル信号に応じて、選択的にイネーブル及びディスエーブルにするよう構成されるスイッチング回路を含む照明ドライバ。
【請求項２】
前記制御ユニットが、少なくとも３つの状態のうちの選択された１つの状態を持つ前記単一のイネーブル信号を供給するよう構成され、前記電源ユニットが、前記少なくとも３つの状態のうちの前記選択された１つの状態に依存して、前記外部デバイスに前記２つの出力電圧の一方若しくは両方が供給される、又はいずれもが供給されないように、前記２つの出力電圧を切り替えるように構成される請求項１に記載の照明ドライバ。
【請求項３】
前記単一のイネーブル信号の前記少なくとも３つの状態が、定常高電圧レベル、定常低電圧レベル、及びPWM信号を含み、前記電源ユニットが、前記単一のイネーブル信号が、前記定常低電圧レベルを持つのか、前記定常高電圧レベルを持つのか、又は前記PWM信号であるのかに依存して、前記外部デバイスに前記２つの出力電圧の一方が供給される、いずれもが供給されない、又は両方が供給されるように、前記２つの出力電圧を切り替えるよう構成される請求項２に記載の照明ドライバ。
【請求項４】
第１の前記出力電圧が、補助電圧であり、第２の前記出力電圧が、DALIバスのための、前記補助電圧よりも低いDALI供給電圧であり、前記電源ユニットが、前記補助電圧から前記DALI供給電圧を生成し、調整するよう構成されるDALI供給電圧回路を含み、前記照明ドライバが、前記DALIバスを介して前記外部デバイスと通信するためのDALIインターフェースを含む請求項３に記載の照明ドライバ。
【請求項５】
前記補助電圧のための戻り接続と、前記DALI供給電圧の負端子側とが、前記外部デバイスに接続される共通線を共用し、前記電源ユニットが、前記DALI供給電圧の正端子に接続され、前記DALIバスによって前記DALI供給電圧から引き出される電流を制限するよう構成されるハイサイド電流制限器を更に含む請求項４に記載の照明ドライバ。
【請求項６】
前記スイッチング回路が、第１スイッチと、第２スイッチとを含み、前記第１スイッチが、前記補助電圧と、前記DALIバスの正の電圧の側との間に接続され、前記第２スイッチが、前記外部デバイスに接続される前記共通線と直列に接続され、前記電源ユニットが、
前記単一のイネーブル信号が前記定常低電圧レベルを持つとき、及び前記単一のイネーブル信号が前記PWM信号であるときには、前記第２スイッチをオンにし、前記外部デバイスに前記補助電圧を供給し、前記単一のイネーブル信号が前記定常高電圧レベルを持つときには、前記第２スイッチをオフにし、前記外部デバイスへの前記補助電圧及び前記DALI供給電圧の供給をディスエーブルにするよう、前記単一のイネーブル信号に応じて、前記第２スイッチの制御端子に制御信号を供給するよう構成されるフィルタと、
前記単一のイネーブル信号が前記PWM信号であるかどうかを検出するよう構成される検出器と、
前記単一のイネーブル信号が前記PWM信号であるときには、前記第１スイッチをオンにし、前記外部デバイスに前記DALI供給電圧を供給し、前記単一のイネーブル信号が前記定常低電圧レベルを持つときには、前記第１スイッチをオフにし、前記外部デバイスへの前記DALI供給電圧の供給をディスエーブルにするよう、前記PWM信号のピーク電圧を２倍にし、２倍にされた前記ピーク電圧を前記第１スイッチの制御端子に供給する倍電圧器とを更に有する請求項５に記載の照明ドライバ。
【請求項７】
前記外部デバイスが、照明ネットワークと無線通信する屋外照明コントローラであり、前記照明ドライバが、前記屋外照明コントローラに給電するために前記屋外照明コントローラに前記補助電圧と前記DALI供給電圧とを供給するよう構成され、前記照明ドライバが、前記DALIインターフェースを介して前記DALIバスを通じて前記屋外照明コントローラと前記データを通信するよう構成される請求項４に記載の照明ドライバ。
【請求項８】
照明ドライバを備える外部デバイスに給電するための方法であり、前記外部デバイスの給電が、照明デバイスの電力供給から切り離されている方法であって、
前記照明ドライバの電気絶縁バリアの第１の側に配置された制御ユニットから、前記制御ユニットから電気的に絶縁されるように前記電気絶縁バリアの第２の側に配置された電源ユニットに単一のイネーブル信号及び補助電源を供給するステップと、
前記電源ユニットが、前記単一のイネーブル信号及び前記補助電源に応じて、前記照明ドライバとデータを通信する前記外部デバイスに電力を供給するための２つの出力電圧を選択的にイネーブル及びディスエーブルにするステップとを有する方法。
【請求項９】
前記制御ユニットが、少なくとも３つの状態のうちの１つの状態を選択し、選択された前記１つの状態を持つ前記単一のイネーブル信号を供給するステップと、
前記選択された１つの状態に依存して、前記２つの出力電圧の一方若しくは両方が供給される、又はいずれもが供給されないように、前記２つの出力電圧を切り替えるステップとを更に有する請求項８に記載の方法。
【請求項１０】
前記単一のイネーブル信号の前記少なくとも３つの状態が、定常高電圧レベル、定常低電圧レベル、及びPWM信号を含み、前記方法が、前記単一のイネーブル信号が、前記定常低電圧レベルを持つのか、前記定常高電圧レベルを持つのか、又は前記PWM信号であるのかに依存して、前記外部デバイスに前記２つの出力電圧の一方が供給される、いずれもが供給されない、又は両方が供給されるように、前記２つの出力電圧を切り替えるステップを更に有する請求項９に記載の方法。
【請求項１１】
第１の前記出力電圧が、補助電圧であり、第２の前記出力電圧が、DALIバスのための、前記補助電圧よりも低いDALI供給電圧であり、前記方法が、
前記補助電圧から前記DALI供給電圧を生成し、調整するステップと、
前記DALIバスを介して前記外部デバイスと通信するステップとを更に有する請求項１０に記載の方法。
【請求項１２】
前記補助電圧のための戻り接続、及び前記DALI供給電圧の負端子が、前記外部デバイスに接続される共通線を共用するステップと、
前記DALIバスによって前記DALI供給電圧から引き出される電流を、前記DALI供給電圧の正端子に接続されるハイサイド電流制限器によって制限するステップとを更に有する請求項１１に記載の方法。
【請求項１３】
前記単一のイネーブル信号が前記定常低電圧レベルを持つとき、及び前記単一のイネーブル信号が前記PWM信号であるときには、前記外部デバイスに前記補助電圧を供給するステップと、
前記単一のイネーブル信号が前記定常高電圧レベルを持つときには、前記外部デバイスへの前記補助電圧及び前記DALI供給電圧の供給をディスエーブルにするステップと、
前記単一のイネーブル信号が前記PWM信号であるときには、前記外部デバイスに前記DALI供給電圧を供給するステップと、
前記単一のイネーブル信号が前記定常低電圧レベルを持つときには、前記外部デバイスへの前記DALI供給電圧の供給をディスエーブルにするステップとを更に有する請求項１２に記載の方法。
【請求項１４】
前記外部デバイスが、照明ネットワークと無線通信する屋外照明コントローラであり、前記方法が、
前記屋外照明コントローラに給電するために前記屋外照明コントローラに前記補助電圧及び前記DALI供給電圧を供給するステップと、
前記照明ドライバが、DALIインターフェースを介して前記屋外照明コントローラと前記データを通信するステップとを含む請求項１１に記載の方法。
【請求項１５】
前記少なくとも３つの状態のうちの第１状態を持つ前記単一のイネーブル信号に応じて、前記外部デバイスへの前記２つの出力電圧の両方の供給をディスエーブルにするステップと、
前記少なくとも３つの状態のうちの第２状態を持つ前記単一のイネーブル信号に応じて、前記２つの出力電圧のうちの第１の出力電圧が前記外部デバイスに供給されるのをイネーブルにすると共に、前記２つの出力電圧のうちの第２の出力電圧をディスエーブルにし、前記外部デバイスへの前記２つの出力電圧のうちの前記第２の出力電圧の供給を抑止するステップと、
前記少なくとも３つの状態のうちの第３状態を持つ前記単一のイネーブル信号に応じて、前記２つの出力電圧の両方が前記外部デバイスに供給されるのをイネーブルにするステップとを更に有する請求項９に記載の方法。